(57)【要約】      （修正有）【課題】多部位の筋群を同時に鍛えることが可能な筋肉トレーニング装置を提供する。【解決手段】ベース部１００、引綱台２００、滑車座、滑車、および綱を備える。引綱台は、運動方向に沿って第１端２１０及び第２端２２０を有し、第１端がベース部に対応して装設されている。滑車座は、引綱台の第２端に搖動可能に設けられており、搖動方向が運動方向と直交する。滑車は、滑車座に回転可能に設けられている。綱は、一端が引綱台に固設され、運動方向に沿って滑車に巻き付けられており、他端が運動による伸ばしに用いられる。上体起こしや仰向け伸展を実行すると共に、手部引綱運動も実行することができ、身体の他部位の筋群を同時に鍛えることができる。また、引綱で上体起こし運動の実行を補助することで、運動がより簡単になる。【選択図】図１
0003186420.tif 000002
【実用新案登録請求の範囲】
【請求項１】
ベース部と、
運動方向に沿って第１端及び第２端を有し、前記第１端が前記ベース部に対応して装設されている引綱台と、
前記引綱台の前記第２端に回転可能に設けられており、回転方向が前記運動方向と直交する滑車座と、
前記滑車座に回転可能に設けられている滑車と、
一端が前記引綱台に固設され、前記運動方向に沿って前記滑車に巻き付けられており、他端が運動による伸ばしに用いられる綱と、
を備えることを特徴とする筋肉トレーニング装置。
【請求項２】
前記引綱台の前記第１端又は前記第２端に回転可能に設けられている少なくとも１つの中間滑車を更に備え、
前記綱が前記運動方向に沿って前記中間滑車及び前記滑車に巻き付けられていることを特徴とする請求項１に記載の筋肉トレーニング装置。
【請求項３】
前記引綱台は、前記第１端に位置決め部が形成されており、前記位置決め部により前記ベース部と所定角度を有するよう位置が決められていることを特徴とする請求項１に記載の筋肉トレーニング装置。
【請求項４】
前記綱は、弾性綱であることを特徴とする請求項１に記載の筋肉トレーニング装置。
【請求項５】
前記綱は、他端に取っ手が設けられていることを特徴とする請求項１に記載の筋肉トレーニング装置。
【請求項６】
前記取っ手は、取り外し可能に前記綱に装設されていることを特徴とする請求項５に記載の筋肉トレーニング装置。
【請求項７】
ベース部と、
運動方向に沿って第１端及び第２端を有し、前記第１端が前記ベース部に対応して装設されている引綱台と、
前記引綱台に並列に設けられている二つの引綱組と、
を備え、
二つの前記引綱組は、
前記引綱台の前記第２端に回転可能に設けられており、回転方向が前記運動方向と直交する滑車座と、
前記滑車座に回転可能に設けられている滑車と、
一端が前記引綱台に固設され、前記運動方向に沿って前記滑車に巻き付けられており、他端が運動による伸ばしに用いられる綱と、を有することを特徴とする筋肉トレーニング装置。
【請求項８】
二つの前記引綱組は、前記引綱台の前記第１端又は前記第２端に回転可能に設けられている少なくとも１つの中間滑車を更に備え、
前記綱が前記運動方向に沿って前記中間滑車及び前記滑車に巻き付けられていることを特徴とする請求項７に記載の筋肉トレーニング装置。
【請求項９】
前記引綱台は、前記第１端に位置決め部が形成されており、前記位置決め部により前記ベース部と所定角度を有するよう位置が決められていることを特徴とする請求項７に記載の筋肉トレーニング装置。
【請求項１０】
前記綱は、弾性綱であることを特徴とする請求項７に記載の筋肉トレーニング装置。
【請求項１１】
二つの前記引綱組は、前記綱の他端に設けられる取っ手を更に備えることを特徴とする請求項７に記載の筋肉トレーニング装置。
【請求項１２】
前記取っ手は、取り外し可能に前記綱に装設されていることを特徴とする請求項１１に記載の筋肉トレーニング装置。
【請求項１３】
ベース部と、
運動方向に沿って第１端、第２端、および位置決め部を有し、前記第１端が前記ベース部に対応して回転可能に設けられており、前記位置決め部により前記ベース部と所定角度を有するよう位置が決められている引綱台と、
前記引綱台に並列に設けられている２つの引綱組と、
を備え、
前記２つの引綱組は、
前記引綱台の前記第２端に回転可能に設けられており、回転方向が前記運動方向と直交する滑車座と、
前記滑車座に回転可能に設けられている滑車と、
前記引綱台の前記第１端又は前記第２端に回転可能に設けられている少なくとも１つの中間滑車と、
一端が前記引綱台に固設され、前記運動方向に沿って前記中間滑車及び前記滑車の順に巻き付けられており、他端が運動による伸ばしに用いられる綱と、
前記綱の他端に装設されている取っ手と、を含むことを特徴とする筋肉トレーニング装置。
【請求項１４】
前記取っ手は、取り外し可能に前記綱に装設されていることを特徴とする請求項１３に記載の筋肉トレーニング装置。
【考案の詳細な説明】
【技術分野】
【０００１】
本考案は、筋肉トレーニング装置に関する。
【背景技術】
【０００２】
現代人の生活疲労、運動不足、又は異なる筋群を鍛えようとする希望に応えるために、様々の筋肉トレーニング装置が現れている。
【０００３】
中で、家庭やフィットネスジムで最もよく見掛けられる機器の１つとしては、上体起こし運動板である。従来の上体起こし運動板は、上体起こしのみに用いられ、運動形式が単一であるため、詰まらないと感じやすいばかりでなく、単一の運動に限られて、限りのある局部筋肉しか鍛えられない。
【０００４】
従って、各種の機能を有する数多くの上体起こし運動板が市場に現れ、仰臥角度調整可能なものがあり、仰臥板の背もたれ部にばねが実装され、上体起こしをより容易に実行でき、運動をより容易に行うことができるものがある。
【０００５】
また、各種の訓練機械を一体に組み合わせ、例えば、上体起こし、ボーティング、ジョッギング又はウェイトトレーニング等の様々な機能のような多種の異なる運動モードを提供できる運動機器もある。各種の機能を同時に実行できず、即ち、一回で１つの運動しか実行できないため、鍛えられる筋肉が依然として限られている。また、このような運動機器は、の提供する運動強度が強く、普段運動する習慣のない人にとって困難であり、運動習慣を身につけるのに適切でない。
【考案の概要】
【考案が解決しようとする課題】
【０００６】
本考案の目的は、身体の多部位の筋群を同時に鍛えることが可能な筋肉トレーニング装置を提供することにある。
【課題を解決するための手段】
【０００７】
本考案の請求項1に係る筋肉トレーニング装置は、ベース部、引綱台、滑車座、滑車、および綱を備える。引綱台は、運動方向に沿って第１端及び第２端を有し、第１端がベース部に対応して装設されている。滑車座は、引綱台の第２端に回転可能に設けられており、回転方向が運動方向と直交する。滑車は、滑車座に回転可能に設けられている。綱は、一端が引綱台に固設され、運動方向に沿って滑車に巻き付けられており、他端が運動による伸ばしに用いられる。
【０００８】
また、少なくとも１つの中間滑車、および、取っ手を更に備える。中間滑車は、引綱台の第１端又は第２端に回転可能に設けられている。綱は、運動方向に沿って中間滑車及び滑車に巻き付けられている。取っ手は、綱の他端に設けられており、綱に取り外し可能に装設されている。引綱台は、第１端に位置決め部が形成されており、位置決め部によりベース部と所定角度を有するよう位置決められている。綱は、弾性綱である。中間滑車の数が１であれば、中間滑車が引綱台の第１端に設けられており、中間滑車の数が２以上であれば、中間滑車が引綱台の第１端及び第２端の順に設けられている。
【０００９】
本考案の請求項7に係る筋肉トレーニング装置は、ベース部、引綱台、および二つの引綱ユニットを備える。引綱台は、運動方向に沿って第１端及び第２端を有し、第１端がベース部に対応して装設されている。二つの引綱ユニットは、引綱台に並列して設けられている。二つの引綱ユニットは、滑車座、滑車、および綱を有する。滑車座は、引綱台の第２端に回転可能に設けられており、回転方向が運動方向と直交する。滑車は、滑車座に回転可能に設けられている。綱は、一端が引綱台に固設され、運動方向に沿って滑車に巻き付けてられており、他端が運動による伸ばしに用いられる。
【００１０】
また、少なくとも１つの中間滑車、および取っ手を更に備える。中間滑車は、引綱台の第１端又は第２端に回転可能に設けられている。綱は、運動方向に沿って中間滑車及び滑車に巻き付けられている。取っ手は、綱の他端に設けられており、綱に取り外し可能に装設されている。引綱台は、第１端に位置決め部が形成されており、は、位置決め部によりベース部と所定角度を有するよう位置決められている。綱は、弾性綱である。中間滑車の数が１であれば、中間滑車が引綱台の第１端に設けられており、中間滑車の数が２以上であれば、中間滑車が引綱台の第１端及び第２端の順に設けられている。
【００１１】
本考案の請求項１３に係る筋肉トレーニング装置は、ベース部、引綱台、および２つの引綱ユニットを備える。引綱台は、運動方向に沿って第１端、第２端、および位置決め部を有し、第１端がベース部に対応して回転可能に設けられており、位置決め部によりベース部と所定角度を有するよう位置が決められている。２つの引綱ユニットは、引綱台に並列に設けられている。２つの引綱ユニットは、滑車座、滑車、中間滑車、綱、および取っ手を有する。滑車座は、引綱台の第２端に回転可能に設けられており、回転方向が運動方向と直交する。滑車は、滑車座に回転可能に設けられている。中間滑車は、引綱台の第１端又は第２端に回転可能に設けられている。綱は、一端が引綱台に固設され、運動方向に沿って中間滑車及び滑車の順に巻き付けられており、他端が運動による伸ばしに用いられる。取っ手は、綱の他端に装設されている。
【００１２】
また、取っ手は、綱に取り外し可能に装設されている。中間滑車の数が１であれば、中間滑車が引綱台の第１端に設けられており、中間滑車の数が２以上であれば、中間滑車が引綱台の第１端及び第２端の順に設けられている。
【００１３】
本考案は、仰向け可能なベース部を運動によって伸ばされる可能な綱に合わせることによって、上体起こしや仰向け伸展を実行すると共に、手部引綱運動も実行することができる。よって、身体の多部位の筋群を同時に鍛えることができる。また、回転可能な回転部材を採用することで、綱が磨耗しにくくなるだけではなく、滑らかな運動を行うことができる。
【００１４】
本考案は、上体起こしや仰向け伸展を実行すると共に、手部引綱運動も実行することができる。よって、身体の多部位の筋群を同時に鍛えることができる。また、引綱で上体起こし運動の実行を補助することで、運動がよりかんたんになる。また、運動の変化性及び趣味性を増加することができ、ユーザが運動習慣をより容易に身につけることができる。
本考案は、引綱台とベース部との間の角度が変化可能であるため、運動角度を変更することができる。また、引綱台をベース部に対して折り畳めることができ、空間を占有せずに収納を行うことができる。
また、本考案は、回転可能な回転部材に滑車が回転可能に設けられ、ユーザが引綱運動を行う同時に、滑車が受力方向の変化によって回転するため、綱の磨耗を抑制することができる。よって、ユーザの運動をより滑らかにすることができる。
また、本考案は、中間滑車を装設することで、中間滑車やその他の部品が損耗されて交換する必要がある場合、部品の取り外しや取り付けがより容易となり、便利にメンテナンスを行う効果を達成することができる。
【図面の簡単な説明】
【００１５】
【図１】本考案の第一実施形態による筋肉トレーニング装置を示す斜視図である。
【図２】本考案の第一実施形態による筋肉トレーニング装置の引綱台及び引綱ユニットを示す斜視図である。
【図３】本考案の第一実施形態による筋肉トレーニング装置の引綱台及び引綱ユニットを示す分解斜視図である。
【図４】本考案の第一実施形態による筋肉トレーニング装置の引綱台及び引綱ユニットを示す断面図である。
【図５】本考案の第二実施形態による筋肉トレーニング装置を示す斜視図である。
【図６】本考案の第二実施形態による筋肉トレーニング装置の使用状態を示す断面図である。
【図７】本考案の第二実施形態による筋肉トレーニング装置の使用状態を示す断面図である。
【図８】本考案の第二実施形態による筋肉トレーニング装置の引綱台及び引綱ユニットを示す斜視図である。
【図９】本考案の第二実施形態による筋肉トレーニング装置の引綱台及び引綱ユニットを示す分解斜視図である。
【図１０】本考案の第三実施形態による筋肉トレーニング装置の引綱台及び引綱ユニットを示す斜視図である。
【図１１】本考案の第三実施形態による筋肉トレーニング装置の引綱台及び引綱ユニットを示す分解斜視図である。
【図１２】本考案の第四実施形態による筋肉トレーニング装置の引綱台及び引綱ユニットを示す斜視図である。
【図１３】本考案の第四実施形態による筋肉トレーニング装置の引綱台及び引綱ユニットを示す分解斜視図である。
【考案を実施するための形態】
【００１６】
本考案の実施形態を図面に基づいて説明する。
（第一実施形態）
本考案の第一実施形態による筋肉トレーニング装置を図１〜図４に示す。
【００１７】
図１〜図４に示すように、筋肉トレーニング装置は、ベース部１００と、引綱台２００と、２つの引綱ユニット３００と、を備え、ベース部１００が、座部１１０及び背もたれ部１２０を含むことができ、仰向け動作を実行することに用いられる。引綱台２００は、運動方向Ｐに沿って第１端２１０及び第２端２２０を有し、第１端２１０がベース部１００に対応して回転可能に装設される。２つの引綱ユニット３００は、引綱台２００に並列して設けられており、３つの中間滑車と、滑車座３４０と、滑車３５０と、綱３６０と、を含み、３つの中間滑車が、それぞれ、第１中間滑車３１０、第２中間滑車３２０、及び第３中間滑車３３０である。第１中間滑車３１０は、引綱台２００の第１端２１０に回転可能に設けられている。第２中間滑車３２０は、引綱台２００の第２端２２０に回転可能に設けられている。第３中間滑車３３０は、引綱台２００の第１端２１０に回転可能に設けられ、軸方向が第１中間滑車３１０の軸方向と平行する。滑車座３４０は、引綱台２００の第２端２２０に回転可能に設けられ、回転方向が運動方向Ｐと対応する。滑車３５０は、滑車座３４０に回転可能に設けられている。綱３６０は、一端が引綱台２００に固設され、第３中間滑車３３０、第２中間滑車３２０、第１中間滑車３１０及び滑車３５０に順次に巻き付けて、他端が運動による伸ばしに用いられる。
【００１８】
図１〜図４に示した筋肉トレーニング装置は、第１中間滑車３１０、第２中間滑車３２０及び第３中間滑車３３０の３つの中間滑車を採用したが、本考案による筋肉トレーニング装置の中間滑車の数が３に限定されず、その数が１、２又は３以上であってもよく、以下、詳細に説明する。
【００１９】
また、図１〜図４を参照されたい。ユーザが運動方向Ｐに沿って綱３６０を伸ばす場合、ユーザの運動時の加力が必ずしも安定とは限らないため、加力の角度が変化することがあり、この場合、滑車座３４０が加力の角度の変化によって、回転方向Ｒの回転を行って、加力の角度の変化による綱３６０の可能の磨耗を低減することができる。
【００２０】
上記の綱３６０としては、弾性綱を採用することができる。引綱台２００の第１端２１０は、引綱台２００がベース部１００に対して回転するように位置決めることで、所定角度を位置決めるための２つの位置決め部２１１を更に有することができる。上記のベース部１００は、ベース部が仰向け動作を実行することに用いらればよいが、座部１１０や背もたれ部１２０を含まなくてもよい。
【００２１】
（第二実施形態）
本考案の第二実施形態による筋肉トレーニング装置を図５〜９に示す。筋肉トレーニング装置は、取っ手４００を更に備えることができる。取っ手４００は、綱３６０の他端に設けられてよく、また、綱３６０に取り外し可能に取り付けられてよく、ユーザにハンドリングされて、綱３６０が運動によって伸ばされることに用いられる。
【００２２】
図５の１つの使用状態を示す断面図である図６を参照されたい。上記の引綱台２００の第１端２１０は、引綱台２００がベース部１００に対して所定角度Ａとなるように位置決めるための２つの位置決め部２１１を更に有することができる。位置決め部２１１は、凹溝又は穿孔であってよく、又、位置決め部２１１と係合し、引綱台２００のベース部１００に対する所定角度Ａがクランプされて固定されるように、ピン２１２を採用することができる。この場合、ユーザは、ベース部１００の座部１１０に座って、背がベース部１００の背もたれ部１２０にもたれ、取っ手４００を手で握ってよい。
【００２３】
図５の別の使用状態を示す断面図である図７を参照されたい。図６の使用状態を続けて、ユーザが座部１１０に座って、仰向け動作を実行して背もたれ部１２０を後ろに圧倒する場合、取っ手４００を手で握って引綱運動を実行し、綱３６０をほぼ運動方向Ｐに沿ってストレッチし、仰向け動作をする同時に引綱運動をすることに達成する。
【００２４】
上記の仰向け動作は、上体起こし運動中の仰向け動作であってよいので、ユーザが上体起こし運動を実行すると共に引綱運動も実行するようにすることができる。しかしながら、本考案は、上体起こしへの応用に限定されず、仰向け動作を実行可能なベース部１００であれば、何れも本考案を応用して、仰向け運動や仰向け伸展と共に、引綱運動もする効果を達成することができる。又そのため、ベース部１００は、図面における形式に限定されるものではなく、上体起こし板、平板、アーチ板、後仰可能なシート、又は背もたれ部へ後仰可能な装置を採用することもできる。例えば、ベース部としてオフィスチェアを採用する場合、執務で疲れる時に、後仰及び引綱でタイトな心身を伸びやかにすることができる。
【００２５】
上記の筋肉トレーニング装置は、取っ手４００が引綱運動の実行に用いられるが、必ずしも手で握るとは限らず、ユーザに把持され、又はユーザの腕や肢体に固定されれば、引綱機能を達成することができる。取っ手４００は、綱３６０に取り外し可能に装設されることができるので、変化して各種の異なる形式を採用し、交替で取り外し交換して綱３６０に装設されることもでき、ユーザに異なる運動形式を採用させて引綱運動を実行させる変化性を与えることができる。
【００２６】
また、上記筋肉トレーニング装置は、滑車３５０を滑車座３４０に回転可能に設けられていため、引綱３６０を引いて引綱運動をする場合、綱３６０が引綱運動時の加力方向によって回転方向Ｒ（図２を共に参照されたい）で滑車座３４０を回転するため、綱３６０が磨耗しにくくなり、且つユーザの受けられる抵抗力をより小さくなり、引綱運動をより流暢となるようにすることができる。
【００２７】
なお、上記筋肉トレーニング装置は、第１中間滑車３１０、第２中間滑車３２０、第３中間滑車３３０及び滑車３５０の装設の位置が、何れも運動引綱の構造全体の外側縁と外で隣り合うため、いずれの中間滑車やその他の内部部品が損耗され又はメンテナンスと交換する必要がある場合、各の部品の取り外し又は取り付けが非常に簡便であり、特に中間滑車が外側縁にあるため、中間滑車をメンテナンスする必要がある場合、極めて少ない部品のみを取り外す又は取り付けることで、メンテナンスを完成することができ、便利にメンテナンスする効果を達成する。
【００２８】
本実施形態による筋肉トレーニング装置の引綱台２００及び引綱ユニット３００の部分を示す斜視図である図８、及び図８を示す部品分解図である図９を参照されたい。図８及び図９に示した筋肉トレーニング装置の引綱ユニット３００は、第１中間滑車３１０及び第２中間滑車３２０の２つの中間滑車を採用し、その他の図示した符号が前記と同じであるものが同じ部品である。第１中間滑車３１０は、引綱台２００の第１端２１０に回転可能に設けられてよい。第２中間滑車３２０は、引綱台２００の第２端２２０に回転可能に設けられてよい。綱３６０は、引綱台２００の第１端２１０に固設されてよく、固定される位置から運動方向Ｐに沿って第２中間滑車３２０、第１中間滑車３１０及び滑車３５０に巻き付ける。引綱ユニット３００は、取っ手（未図示）を更に備えることもできる。引綱ユニット３００は、図１又は図５に示すような筋肉トレーニング装置に装設されて、元の引綱ユニット３００を取り替えてよく、図６及び図７に示すように操作する。
【００２９】
そのため、図８及び図９に示すような実施形態による筋肉トレーニング装置は、ユーザが上体起こし運動を実行すると共に引綱運動も実行するようにする効果も有する。なお、滑車座３４０は、回転方向Ｒで回転することができるため、ユーザが筋肉トレーニング装置を操作する場合、綱３６０が磨耗しにくくなり、且つユーザの受けられる抵抗力をより小さくなり、引綱運動をより流暢となるようにすることができる。また、中間滑車３１０は、運動引綱の構造全体の外側縁と外で隣り合うことができるため、いずれの中間滑車３１０やその他の内部部品が損耗され又はメンテナンスと交換する必要がある場合、依然として、極めて少ない部品のみを取り外す又は取り付ける必要があることで、メンテナンスを完成することができ、便利にメンテナンスする効果を達成する。
【００３０】
（第三実施形態）
本考案の第三実施形態による筋肉トレーニング装置を図１０、１１に示す。図１０及び図１１に示した筋肉トレーニング装置の引綱組３００は、１つの中間滑車のみ、即ち第１中間滑車３１０を採用し、その他の図示する符号が前記と同じであるものが同じ部品である。第１中間滑車３１０は、引綱台２００の第２端２２０に回転可能に設けられてよい。綱３６０は、引綱台２００の第２端２２０に固設されてよく、固定される位置から運動方向Ｐに沿って中間滑車３１０及び滑車３５０に巻き付ける。引綱組３００は、取っ手（未図示）を更に備えることもできる。引綱組３００は、図１又は図５に示すような筋肉トレーニング装置に装設されて、元の引綱組３００を取り替えてよく、図６及び図７に示すように操作する。
【００３１】
そのため、図１０及び図１１に示すような実施形態による筋肉トレーニング装置は、ユーザが上体起こし運動を実行すると共に引綱運動も実行するようにする効果も有する。なお、滑車座３４０は、回転方向Ｒで回転することができるため、ユーザが筋肉トレーニング装置を操作する場合、綱３６０が磨耗しにくくなり、且つユーザの受けられる抵抗力をより小さくなり、引綱運動をより流暢となるようにすることができる。また、第１中間滑車３１０は、運動引綱の構造全体の外側縁と外で隣り合うことができるため、いずれの中間滑車３１０やその他の内部部品が損耗され又はメンテナンスと交換する必要がある場合、依然として、極めて少ない部品のみを取り外す又は取り付ける必要があることで、メンテナンスを完成することができ、便利にメンテナンスする効果を達成する。
【００３２】
（第四実施形態）
本考案の第四実施形態による筋肉トレーニング装置を図１２、１３に示す。図１２及び図１３に示した筋肉トレーニング装置の引綱組３００は、如何なる中間滑車も採用せずに、その他の図示する符号が前記と同じであるものが同じ部品である。綱３６０は、引綱台２００の第１端２１０に固設されてよく、運動方向Ｐに沿って固定される位置から滑車３５０に巻き付ける。引綱組３００も、取っ手（未図示）を更に備えることができる。引綱組３００は、図１又は図５に示すような筋肉トレーニング装置に装設されて、元の引綱組３００を取り替えてよく、図６及び図７に示すように操作する。
【００３３】
そのため、図１２及び図１３に示すような実施形態による筋肉トレーニング装置は、ユーザが上体起こし運動を実行すると共に引綱運動も実行するようにする効果も有する。なお、滑車座３４０は、回転方向Ｒで回転することができるため、ユーザが筋肉トレーニング装置を操作する場合、綱３６０が磨耗しにくくなり、且つユーザの受けられる抵抗力をより小さくなり、引綱運動をより流暢となるようにすることができる。また、第１中間滑車３１０は、運動引綱の構造全体の外側縁と外で隣り合うことができるため、いずれの中間滑車３１０やその他の内部部品が損耗され又はメンテナンスと交換する必要がある場合、極めて少ない部品のみを取り外す又は取り付ける必要があることで、メンテナンスを完成することができ、便利にメンテナンスする効果を達成する。
【００３４】
本考案による筋肉トレーニング装置の引綱組３００の中間滑車の数は、上記に説明した１、２又は３に限定されず、更に実際の要求に応じて、中間滑車の数を増加することができるし、如何なる中間滑車も有しないこともでき、上記の何れの場合もユーザが上体起こし運動を実行すると共に引綱運動も実行するようにする効果を達成ことができる。また、滑車座３４０の設置により、滑車座３４０が滑車３５０を回転方向Ｒで回転させるように駆動し、ユーザが筋肉トレーニング装置を操作する場合、綱３６０が磨耗しにくくなり、且つユーザの受けられる抵抗力をより小さくなり、引綱運動をより流暢となるようにする。また、各の中間滑車が運動引綱の構造全体の外側縁と外で隣り合う場合、更に便利にメンテナンスするメリットを達成することができる。
【００３５】
上記の本考案の実施形態から、本考案を応用すれば、以下のメリットがあることが判明した。
【００３６】
１．  仰向け動作及び引綱運動を同時に実行することで、例えば、腹及び腕のような、身体の複数の筋群を同時に運動させることができる。
【００３７】
２．  運動の変化性を増加し、ユーザの需要に応じて、仰向け運動や仰向け緩和の機能のみを使用したり、引綱運動のみをしたり、仰向け及び引綱を同時に実行したりするように変化することができる。運動の変化性及び趣味性を向上させ、ユーザの運動習慣を更に身につけさせ、本考案の筋肉トレーニング装置を応用する実用性も更に増加することができる。
【００３８】
３．  綱が磨耗しにくくなり、運動引綱の構造全体がより耐用になると共に、より流暢で滑らかな運動体験をユーザに提供する。
【００３９】
４．  メンテナンスが容易で、後の保護がより容易に行われるようになる。
【００４０】
５．  収納が容易で、回転可能でベース部へ回転的に回復可能な引綱台により、収納空間を節約することを達成する。
【００４１】
本考案では、実施形態を前述の通り開示したが、これは本考案を限定するものではなく、当業者であれば、本考案の精神と領域から逸脱しない限り、多様の変動や修正を加えることができる。従って、本考案の保護範囲は、実用新案登録請求の範囲で指定した内容を基準とする。
【符号の説明】
【００４２】
１００：ベース部、
１１０：座部、
１２０：背もたれ部、
２００：引綱台、
２１０：第１端、
２１１：位置決め部、
２１２：ピン、
２２０：第２端、
３００：引綱ユニット、
３１０：第１中間滑車、
３２０：第２中間滑車、
３３０：第３中間滑車、
３４０：滑車座、
３５０：滑車、
３６０：綱、
４００：取っ手、
Ａ：所定角度、
Ｐ：運動方向、
Ｒ：回転方向。
【図１】
0003186420.tif 000003
【図２】
0003186420.tif 000004
【図３】
0003186420.tif 000005
【図４】
0003186420.tif 000006
【図５】
0003186420.tif 000007
【図６】
0003186420.tif 000008
【図７】
0003186420.tif 000009
【図８】
0003186420.tif 000010
【図９】
0003186420.tif 000011
【図１０】
0003186420.tif 000012
【図１１】
0003186420.tif 000013
【図１２】
0003186420.tif 000014
【図１３】
0003186420.tif 000015